(57)【要約】【課題】多層光記録媒体において、各記録層における記録トラックの偏心を規定値内に合わせるためのプロセス時間を短縮する。【解決手段】予めアドレスや半径位置などを表す為の凹凸部やトラッキング用の溝を有していない記録層（サーボ領域未付加記録層）が少なくとも１層以上あり、前記サーボ領域未付加記録層を予めアドレスや半径位置などを表す為の凹凸部やトラッキング用の溝を有する記録層（サーボ領域付加層）で挟んだ形態で積層しているデータ記録が可能な多層光記録媒体を用い、同じ特性を持つ光源を２つ備え、そのうちの一つの光源から出射したビームはサーボ用ビームとして作用し、他のもう一つの光源から出射したビームは記録再生用ビームとして作用する多層光記録再生装置１００を用い、ビームの進行方向に対して手前側のサーボ領域付加層３４と奥側のサーボ領域付加層３５とでサーボ専用ビームとしての役割を二つのビーム間で逆転させた。【選択図】図１
2008097694.tif 000002
【特許請求の範囲】
【請求項１】
予めアドレスや半径位置などを表す為の凹凸部やトラッキング用の溝を有していない記録層としてサーボ領域未付加層が少なくとも１層以上あり、前記サーボ領域未付加層を、中間層を介して、予めアドレスや半径位置などを表す為の凹凸部やトラッキング用の溝を有する記録層であるサーボ領域付加層で挟んだ形態で積層しているデータ記録が可能な多層光記録媒体を用い、ほぼ同じ特性を持つ光源を２つ備え、そのうちの一つの光源から出射したビームはサーボ用ビームとして作用し、他のもう一つの光源から出射したビームは記録再生用ビームとして作用する多層光記録再生装置であって、ビームの進行方向に対して手前側のサーボ領域付加層と奥側のサーボ領域付加層とでサーボ用ビームとしての役割を２つのビーム間で逆転させることを特徴とする多層光記録再生装置。
【請求項２】
請求項１記載の多層光記録再生装置において、サーボ用ビームに割り当てられたビームの焦点制御は対物レンズにより行い、記録再生用ビームに割り当てられたビームの焦点位置制御はリレーレンズを用いることを特徴とする多層光記録再生装置
【請求項３】
請求項２記載の多層光記録再生装置において、それぞれのビームの光路中にリレーレンズを搭載していることを特徴とする多層光記録再生装置。
【請求項４】
請求項３記載の多層光記録再生装置において、該リレーレンズ中の焦点が合う場所にピンホールを設置したことを特徴とする多層光記録再生装置。
【請求項５】
請求項１記載の多層光記録再生装置において、サーボ領域未付加層におけるトラッキング制御を少なくともリレーレンズの光源側のレンズを移動させることにより行うことを特徴とする多層光記録再生装置
【請求項６】
請求項１記載の多層光記録再生装置において、予め焦点位置の移動距離と球面収差量との関係を求めておいて記録再生用光源から出射されたビームの焦点位置がサーボ領域付加層より記録層方向に移動した距離に応じて収差補正を自動で行う収差補正機構を備えていることを特徴とする多層光記録再生装置。
【請求項７】
請求項６記載の多層光記録再生装置において、該収差補正を行う為に液晶素子を用いたことを特徴とする多層光記録再生装置。
【請求項８】
請求項６記載の多層光記録再生装置において、初めて該記録再生装置にセットされた多層光記録媒体においては、最初に設定された半径でのサーボ領域付加層上にサーボ用光源および記録再生用光源から出射された各ビームが合焦するように自動調整するＡＦ制御手段、その時のパラメータ値としてリレーレンズの位置、あるいは、フォーカスサーボゲイン、あるいはその双方を装置内のメモリに記憶する手段を有していることを特徴とする多層光記録再生装置。
【請求項９】
請求項６記載の情報の記録再生装置において、該サーボ層上にサーボ用光源および記録再生用光源から出射された各ビームが合焦するようにした状態におけるリレーレンズの記録媒体側のレンズ位置を基準として、記録再生用光源から出射されたビームが記録層方向へ移動した場合には記録層側のレンズ位置の変化により収差補正量を制御することを特徴とする多層光記録再生装置。
【請求項１０】
請求項６記載の多層光記録再生装置において、初めて該記録再生装置にセットされた多層光記録媒体においては、該サーボ層上にサーボ用光源および記録再生用光源から出射された２つのビームが合焦するようにした状態から改めて記録再生用ビームの焦点位置の移動量に対応する最適な収差補正量を求め、その値を元に多層光記録媒体中の記録再生用ビームの基準位置からの移動した距離に応じて自動で収差補正を行うことを特徴とする多層光記録再生装置。
【請求項１１】
請求項６記載の多層光記録再生装置において、光多層記録媒体にビームが入射した位置から奥側のサーボ領域付加層までのトータル厚さのほぼ中心位置に焦点があった時に球面収差が零になる様に絞り込みレンズを設計していることを特徴とする多層光記録再生装置。
【請求項１２】
請求項１１記載の多層光記録再生装置において、記録層の総数によらず光多層記録媒体にビームが入射した位置から奥側のサーボ領域付加層までのトータル厚さがほぼ同じである多層光記録媒体を用いることを特徴とする多層光記録再生装置。
【請求項１３】
予めアドレスや半径位置などを表す為の凹凸部やトラッキング用の溝を有していない記録層としてサーボ領域未付加層が少なくとも１層以上あり、前記サーボ領域未付加層を、中間層を介して、予めアドレスや半径位置などを表す為の凹凸部やトラッキング用の溝を有する記録層であるサーボ領域付加層で挟んだ形態で積層しているデータ記録が可能な多層光記録媒体を用い、ほぼ同じ特性を持つ光源を２つ備え、そのうちの一つの光源から出射したビームはサーボ用ビームとして作用し、他のもう一つの光源から出射したビームは記録再生用ビームとして作用し、更にビームの進行方向に対して手前側のサーボ領域付加層と奥側のサーボ領域付加層とでサーボ用ビームとしての役割を２つのビーム間で逆転させて記録再生を行うことを特徴とする多層光記録再生方法。
【請求項１４】
請求項１３記載の多層光記録再生方法において、予め焦点位置の移動距離と球面収差量との関係を求めておいて記録再生用光源から出射されたビームの焦点位置がサーボ領域付加層より記録層方向に移動した距離に応じて収差補正を自動で行いながら記録再生を行うことを特徴とする多層光記録再生方法。
【請求項１５】
請求項１４記載の多層光記録再生方法において、該収差補正を行う為に液晶素子を用いたことを特徴とする多層光記録再生方法。
【請求項１６】
請求項１４記載の多層光記録再生方法において、該サーボ領域付加層上にサーボ用光源および記録再生用光源から出射された各ビームが合焦するようにした状態におけるリレーレンズの多層光記録媒体側のレンズ位置を基準として、記録再生用光源から出射されたビームが記録層方向へ移動した場合には記録層側のレンズ位置の変化により収差補正量を制御しながら記録再生を行うことを特徴とする多層光記録再生方法。
【請求項１７】
請求項１４記載の多層光記録再生方法において、初めて該記録再生装置にセットされた多層光記録媒体においては、該サーボ領域付加層上にサーボ用光源および記録再生用光源から出射された２つのビームが合焦するようにした状態から改めて記録再生用ビームの焦点位置の移動量に対応する最適な収差補正量を求め、その値を元に多層光記録媒体中の記録再生用ビームの基準位置からの移動した距離に応じて自動で収差補正を行いながら記録再生を行うことを特徴とする多層光記録再生方法。
【請求項１８】
予めアドレスや半径位置などを表す為の凹凸部やトラッキング用の溝を有していない記録層としてサーボ領域未付加層が少なくとも１層以上あり、前記サーボ領域未付加層を、中間層を介して、予めアドレスや半径位置などを表す為の凹凸部やトラッキング用の溝を有する記録層であるサーボ領域付加層で挟んだ形態で積層していることを特徴とする多層光記録媒体。
【請求項１９】
請求項１８記載の多層光記録媒体において、記録層の総数によらず光多層記録媒体にビームが入射した位置から奥側のサーボ領域付加層までのトータル厚さがほぼ同じであることを特徴とする多層光記録媒体。
【請求項２０】
請求項１８記載の多層光記録媒体において、中間層が予め作製されている薄板シートであることを特徴とする多層光記録媒体。
【発明の詳細な説明】
【技術分野】
【０００１】
本発明は中間層を介して複数の記録層を積層した多層光記録媒体に、データを記録・再生する多層光記録再生装置及び多層光記録再生方法、並びにその多層光記録媒体に関する。
【背景技術】
【０００２】
近年、マルチメディア化に対応して、大量のデータを高密度で記録し、かつ迅速に記録再生する情報記録媒体としての光情報記録媒体（光ディスク）が注目されている。このような光ディスクとしては、例えば、ＣＤまたはレーザーディスク等のように、ディスク製作時にスタンピングされた情報の再生のみが行われる再生専用型ディスク、ＣＤ−Ｒ等のように、一回だけの記録を可能とした追記型ディスク、光磁気記録方式や相変化記録方式を用いて、何回もデータの書き換え消去が可能な書き換え型ディスク等が知られている。
一方、光ディスクにデータを記録し、記録されたデータを再生する方法は、レーザ光を対物レンズを用いて回折限界にまで絞り込んだ光スポットを照射して行われる。この光スポットの径は、レーザ光の波長λと対物レンズの開口数ＮＡとを用いて（λ／ＮＡ）程度となる。近年の光ディスクの大容量化の要求に応えるべく、これらの光ディスク製品は高密度化され、これらに情報を記録再生するための光ヘッド装置は、光ディスク面上に集光するスポット径を小さくする必要があるために、レーザ光源の波長を６５０ｎｍまたは６３５ｎｍとしたり、対物レンズの開口数（ＮＡ）を０．６にしている。さらに、次世代の光記録においてはレーザ光源の波長を４００ｎｍ程度、ＮＡを０．６以上とすることにより、より大きな記録密度を得ることが提案されている。
【０００３】
さらに、レーザ光源の短波長化や高ＮＡ化が限界に達すると、新しい大容量化技術として、記録媒体の深さ方向へ記録することにより更なる大容量化を図る方法も考えられている。その内の一つが、特許文献１に記載されているようなバルク状態の記録媒体に３次元的に記録再生を行うもので、もう一つが特許文献２に記載されているような複数の記録層を積み重ねた多層型記録媒体の利用である。
【０００４】
このうち多層光記録媒体としては、２層再生専用型ディスク（ＤＶＤ−ＲＯＭ）がすでに商品化されており、同様に、２層追記型ディスクや２層書き換え型ディスクも開発が進められている。また、３層以上の多層光記録媒体も盛んに検討されており、今後の大容量化技術として期待されている。
【０００５】
【特許文献１】特開２００２−３１２９５８号公報
【特許文献２】特開２００３−３４６３７８号公報
【発明の開示】
【発明が解決しようとする課題】
【０００６】
このように、多層光記録媒体における記録層の数が多くなるに従って種々の問題が生じてくる。その中のひとつに、ある厚さの中間層を介して各記録層を順次積層する時にトラッキングサーボ用凹凸溝を各記録層に設けているために各記録層における記録トラックの偏心を規定値内に合わせるためのプロセス時間が層数分かかり、なおかつ記録層が多くなると偏心が規定値外になるなどして最終的な歩留まりが低下するという問題が生じてくる。
【０００７】
本発明は、このような従来技術における問題点を解決し、偏心合わせによるプロセス時間の短縮および歩留まり向上を図り、安価でかつ高速アクセス可能な多層光記録再生装置及び多層光記録再生方法、並びに多層光記録媒体を提供することにある。
【課題を解決するための手段】
【０００８】
かかる課題を解決するために、本発明における多層光記録再生装置及び多層光記録再生方法、並びに多層光記録媒体は、以下の特徴を備えている。
【０００９】
一つは、予めアドレスや半径位置などを表す為の凹凸部やトラッキング用の溝を有していない記録層（サーボ領域未付加層）が少なくとも１層以上あり、前記サーボ領域未付加層を、中間層を介して、予めアドレスや半径位置などを表す為の凹凸部やトラッキング用の溝を有する記録層（サーボ領域付加層）で挟んだ形態で積層しているデータ記録が可能な多層光記録媒体を用い、ほぼ同じ特性を持つ光源を２つ備え、そのうちの一つの光源から出射したビームはサーボ用ビームとして作用し、他のもう一つの光源から出射したビームは記録再生用ビームとして作用する多層光記録再生装置であって、ビームの進行方向に対して手前側のサーボ領域付加層と奥側のサーボ領域付加層とでサーボ専用ビームとしての役割を２つのビーム間で逆転させることを特徴としている。
【００１０】
なお、サーボ用ビームに割り当てられたビームの焦点制御は対物レンズにより行い、記録再生用ビームに割り当てられたビームの焦点位置制御はリレーレンズを用いて行っている。本発明では、どちらのビームも記録再生用ビームとしての役割もするので、それぞれのビームの光路中にリレーレンズを搭載している。
【００１１】
例えば、ビームの進行方向に対して手前側のサーボ領域付加層を光源１から出射したビームでサーボをかけ、光源２から出射したビームでそのすぐ奥側のサーボ領域未付加記録層に記録再生を行っていたとして、その後、ビームの進行方向に対して奥側のサーボ領域近辺の記録層に記録再生を行う場合には、光源１から出射したビームと光源２から出射したビームとの位置関係は変わらずに（即ち光源１から出射したビームの焦点位置の方が光源２から出射したビームの焦点位置に対して手前側にあり、そのビーム間隔は層間距離とほぼ同じ）、そのままの状態で奥側に移動しながら任意の場所まで移動してくると、光源２から出射したビームがサーボ用ビームとなり光源１から出射したビームが記録再生用ビームとなり、最終的には光源２から出射したビームで奥側のサーボ領域付加層にサーボをかけることになる。このように２つのビーム間で役割を切り変えることにより短時間での記録再生が可能となる。
【００１２】
更に、記録層の総数に対してサーボ領域付加層の総数の割合が従来に比べて少ない為に、層間移動に伴う時間が短縮でき、高速アクセスが可能となった。
【００１３】
本発明では、確実なサーボ及びアクセスを可能とするために、サーボ領域付加層を設けている。ここで対物レンズの制御はサーボ用に割り当てられたビームのみで実行するようにしている。即ち、多層光記録媒体の回転中に生じる上下ぶれや偏心などはサーボ用ビームで制御し、他の記録再生用ビームでは対物レンズの制御はしていない。また本発明の多層光記録再生装置ではサーボ用ビームの焦点位置と記録再生用ビームの焦点位置は任意に変えることができる。実際には、記録再生用ビームの焦点位置を多層光記録媒体の深さ方向に可変させるためにリレーレンズを用いている。更にこのリレーレンズの記録媒体側のレンズのみを移動させることにより、リレーレンズ内で平行光が焦点を結ぶ位置の変化も無く記録再生用ビームの焦点位置を確実に制御できる。また、リレーレンズ中の焦点が合う場所にピンホールを設置することにより、記録媒体中の目的の記録マークからの反射ビーム以外の反射ビームをこのピンホールで除去することができ、確実な再生信号を得ることが出来る。厳密に言えば、絞込みレンズの移動に応じて記録再生用ビームの焦点位置を自動調整した方が好ましい。
【００１４】
この時、偏心合わせによるプロセス時間の短縮および歩留まり向上を図るために、サーボ領域未付加層には予めアドレスや半径位置などを表す為の凹凸部やトラッキングの為の溝は形成されていない（サーボ領域未付加層）。そこで、サーボ領域未付加層へのデータの記録時には、サーボ領域付加層に形成しているアドレスや半径位置などの情報をサーボ用ビームで再生しながら、その情報を元にサーボ領域未付加層に記録を行うことが本発明の特徴の一つである。再生時にも同様な動作が実施される。場合によっては、最初の時点で記録再生ビーム照射によりアドレスや半径位置などを表す為の情報をサーボ領域未付加層に追加記録しても良い。
【００１５】
次に、２つのビームの位置関係を装置間で同じにする為に最初に調整を行う。まずサーボ用ビームと記録再生用ビームとも任意のサーボ領域付加層に照射し焦点合わせおよびトラッキングを個々に行い、同じトラックの同じ位置に二つのビームを合わせる。この動作は、記録再生領域とは別の半径位置に設けた装置互換を取る為の２ビーム位置調整領域を設けてそこで予め実施していても良い。二つのビームが重なった状態での種々の情報を記録装置内の内部メモリに記憶させる。場合によっては、ビームの進行方向に二つのビームが重ならない程度ずらしてもよい。この時、サーボ用ビームを先行させた方が好ましい。ここでサーボ動作の順番としては、対物レンズの制御によりサーボ用ビームで目的のサーボ領域付加層に焦点合わせおよびトラッキングを行った後、記録再生用ビームの焦点位置をリレーレンズにより調整しトラッキングを行うことになる。なお、少なくともリレーレンズの記録再生用光源側のレンズを記録再生用ビームの進行方向に対して垂直方向に移動させることにより多層光記録媒体中における記録再生用ビームのトラッキング制御を実施している。このようにして同じトラックの同じ位置を二つのビームで照射することができたら、サーボ用ビームはサーボ領域付加層にサーボをかけたまま、記録再生用ビームを目的の記録層へ移動させる。ここではサーボ領域付加層を含め装置の特性で決められた数の層まで記録再生を行うことになる。なお、記録しようとする記録層の一部に既に記録が行われていた場合には、まず焦点を合わせた後、既に記録されているデータ列を元にトラッキングをかける機能も有している。なお、サーボ用ビームの方が記録再生用ビームよりも時間的に先行させている場合には、サーボ領域付加層のアドレスや半径位置などの情報を再生しながら、前記サーボ領域付加層の一つ隣側のサーボ領域未付加層にデータを記録することにより、両方の層のデータ記録場所をほぼ同じにすることができて好ましい。
【００１６】
また、サーボ領域未付加層において既に記録されているデータの後ろに新たに連続的にデータを追加記録する場合には、既にあるデータに続いてすぐに記録をしないで、すこし記録をしない領域（空白領域）を設けた方が好ましい。特に、異なる装置で記録を行った場合にはサーボ領域付加層の記録トラックに対して既に記録されているデータが半径方向にずれて記録されている可能性があり、既に記録されているデータの影響受けてトラッキングがずれるのを防ぐ為である。
【００１７】
本発明の多層光記録再生装置は、予め焦点位置の移動距離と球面収差量との関係を求めておいて各光源から出射されたビームの焦点位置がサーボ領域付加層より記録層方向に移動した距離に応じて収差補正を自動で行う収差補正機構を備えていることも特徴の一つである。
【００１８】
通常、記録再生用ビームが透過する層（基板やカバー層や中間層や保護層など）の厚みによって球面収差が発生する。この球面収差は、層のトータル厚さをｄ、ビームの波長をλとすると、ＮＡ４×ｄ／λに比例する。即ち、この層のトータル厚さによって球面収差を補正する必要がある。そこで、本発明では、球面収差補正を行う為に液晶素子を用いている。この液晶素子は、誘電率と屈折率に異方性を持つため、液晶素子に印加する電圧によって屈折率が変化する。この物性を利用することにより、球面収差を補正するものである。
【００１９】
本発明の多層光記録再生装置においては、光多層記録媒体にビームが入射した位置から奥側のサーボ領域付加層までのトータル厚さのほぼ中心位置に焦点があった時に球面収差が零になる様に対物レンズを設計している。その為に、本発明で用いる光多層記録媒体は、記録層の総数によらず光多層記録媒体にビームが入射した位置から奥側のサーボ領域付加層までのトータル厚さのほぼ中心位置に焦点が合うように各層（記録層や中間層など）の厚さを決めている。また、各ビームの焦点位置の移動距離と球面収差量との関係は予め記録再生装置内の内部メモリに記憶されている。
【００２０】
次に、球面収差を自動で補正する方法を述べる。ここでは、記録再生用ビームの球面収差補正方法を説明する。多層光記録再生装置にセットされた多層光記録媒体においては、目的のサーボ領域付加層上にサーボ用ビームおよび記録再生用ビームの両方が合焦するようにそれぞれのＡＦ制御手段により実行する。その時のパラメータ値（対物レンズの位置、リレーレンズの位置、フォーカスサーボゲインなど）を装置内のメモリに記憶しておく。これらのパラメータを取得する為の領域を、記録再生領域とは別の半径位置に設けても良い（初期調整用領域）。そして、目的のサーボ領域付加層上に焦点があった状態でのリレーレンズの記録媒体側のレンズ位置と、予め求めていた記録層のほぼ中心位置に焦点があった時のリレーレンズにおける記録媒体側のレンズ位置とを比較して球面収差量を補正する。そして、更にビームが隣のサーボ領域未付加層方向へ移動した場合にはリレーレンズ位置の変化量に応じて更に収差補正量を制御するのである。例えば、３層目の記録層へ記録再生用ビームの焦点を合わせた時に、サーボ領域付加層に焦点が合った状態でのリレーレンズの記録媒体側のレンズ位置（基準位置）から２０μｍ程度記録媒体側のレンズが移動したとすると、内部メモリに記憶されている電圧補正分布データをもとに２０μｍずれた時の補正量分だけ液晶素子に電圧をかけて補正するのである。
【００２１】
本発明ではトラッキング用の溝があるサーボ領域付加層にも記録再生を実施する。その為に、サーボ領域付加層における溝部分に記録する場合とサーボ領域未付加層における記録（溝は無い）では記録特性が異なる可能性がある。これに関しては、予め試し書き領域を設けて、その場所で記録特性を調べておき、実際の記録時に補正しながら記録を行うことにより良好な記録が行えた。
【００２２】
また、一度も記録されていない記録媒体の場合を装置にセットした場合には、ビームの入射側から見て一番遠くにある奥側のサーボ領域付加層から順に記録をしていくことにより、記録された記録マークによる影響を少なくすることができて好ましい。
【００２３】
本発明に用いる多層光記録媒体は、多層形成プロセス時の各記録層の偏心合わせ工程での歩留まりを高くするために、予めアドレスや半径位置などを表す為の凹凸部やトラッキング用の溝を有する記録層（サーボ領域付加層）の層数を２層と少なくしている。またこの２層間に挟む事のできるサーボ領域未付加層の総数は多層光記録再生装置の性能で決まってくる。サーボ領域未付加層の総数が多い場合には、中間層を予め作製した薄板シートを用いることによりプロセスの簡単化が可能である。以上により多層形成プロセス時の各記録層の偏心合わせ工程での歩留まりを高くする事ができた。
【発明の効果】
【００２４】
かくして本発明によれば、安価でかつ高速アクセス可能な多層光記録再生装置及び多層光記録再生方法、並びに多層光記録媒体が提供される。
【発明を実施するための最良の形態】
【００２５】
以下、図面に基づき、本発明を実施するための最良の形態（以下、実施の形態）について詳細に説明する。
【００２６】
(実施例)
図１は、本実施の形態が適用される多層光記録媒体への多層光記録再生装置を説明するための図である。多層光記録再生装置１００は、波長４０５ｎｍのレーザ光を発光する高出力半導体レーザ１と、高出力半導体レーザ１からのビームを平行光線にするコリメートレンズ２と、偏光ビームスプリッタ３と、λ/４板４と、高出力半導体レーザ１から出射したビームの焦点位置を変えるためのリレーレンズ５と、再生信号のSNを上げるためにリレーレンズ５内に設けたピンホール６と、球面収差を補正する球面収差補正板（液晶素子）７と、ハーフプリズム８と記録再生用ビーム及びサーボ用ビームを多層光記録媒体９内に焦点を絞る対物レンズ１０と、多層光記録媒体９から戻ってきたビームを元に信号再生用とＡＦ用及びトラッキング用のビームに分けるビームスプリッタ１１と、ビームスプリッタ１１により分けられた信号用の平行光線を絞り込む絞り込みレンズ１２と、信号用の検出器１３と、ＡＦ用及びトラッキング用のビームを絞り込む絞込みレンズ１４とシリンドリカルレンズ１５と検出器１６、を有している。
【００２７】
また、記録装置１００は、波長４０５ｎｍのレーザ光を発光する高出力半導体レーザ１７と、コリメートレンズ１８と、偏光ビームスプリッタ１９と、λ／４波長板２０と、記録再生用ビームの焦点位置を変えるためのリレーレンズ２１と、再生信号のSNを上げるためにリレーレンズ２１内に設けたピンホール２２と、球面収差を補正する球面収差補正板（液晶素子）２３と、反射ミラー２４と、ＡＦ用及びトラッキング用のビームを絞り込む絞り込みレンズ２５とシリンドリカルレンズ２６と検出器２７と、を有する。
【００２８】
更に、記録装置１００は、高出力半導体レーザ１を制御するレーザドライバ２８と、高出力半導体レーザ１７を制御するレーザドライバ２９と、検出器２７からの信号を用いて対物レンズ１０の焦点位置を調整するＡＦ＆トラッキング制御回路３０および高出力半導体レーザ１から出射したビームの焦点位置を目的の記録層に合わせるためのＡＦ＆トラッキング制御回路３１と、サーボ制御、記録パワー制御などを総合的に制御するマイクロプロセッサ３２と、を備えている。
【００２９】
尚、記録再生装置１００は、対物レンズ１０の位置を調整するためのアクチュエータと、リレーレンズ５及びリレーレンズ２１の各レンズを移動させる移動装置と、リレーレンズ５及びリレーレンズ２１と連動して球面収差補正板７及び２３に収差が小さくなるように電圧を印加する自動補正機構を備え、さらに、レーザスポットを多層光記録媒体９の半径方向に移動させる移動装置と、多層光記録媒体９を回転させるための回転装置と、を有し、これらは図示を省略した。
【００３０】
また、本実施の形態においては、記録再生用ビームに波長（λ）４０５ｎｍの高出力半導体レーザ１を使用しているが、これに限定されず、波長（λ）２５０ｎｍ〜４５０ｎｍの高出力レーザを用いても良い。更に、光源は、高出力半導体レーザに限らず、ガスレーザ、他の構造のレーザを用いることができる。記録ビームの波長は、多層光記録媒体の記録層における吸収率が大きい波長が好ましい。
【００３１】
前記、多層光記録媒体は、ポリカーボネイト基板３３上にサーボ領域付加層３４及びサーボ領域付加層３５の間に透明な中間層３６を介してサーボ領域未付加層３７を目的の層数だけ積層し、最後に０．１ｍｍの透明保護板のカバー層３８を貼り合わせた構造となっている。ここで、各記録層の形成方法を詳細に説明する。まず、アドレスや半径位置などを表す為の凹凸部やトラッキング用の溝を表面に有するポリカーボネイト基板３３上に記録膜を形成しサーボ領域付加層３４とする。そしてサーボ領域付加層３４上に中間層３６として薄板シートを形成する。その上に記録膜を形成しサーボ領域未付加層３７とする。同様なプロセスを経て、最終的にはナノプリント法によりアドレスや半径位置などを表す為の凹凸部やトラッキング用の溝を表面に有する中間層上に記録膜を形成したサーボ領域付加層３５と０．１ｍｍの透明保護板のカバー層３８とを接着して多層光記録媒体９が完成する。
【００３２】
本実施例では、記録膜として酸化物系や窒化物系などの光学定数のｋが比較的小さいものを形成している。本実施例では、ＢｉＧｅ＋Ｎ系記録膜を用い、各膜厚は層数よって変えている。さらに図示はしていないが保護層及び光学調整層として、誘電体膜を少なくとも形成している。本実施例では、誘電体膜としてZnS-SiO2を用い、記録膜を挟んだ構造とした。なお、記録膜としてはＢｉＧｅ＋Ｎ系記録膜以外にも光学的にほぼ透明でビーム照射によりその部分の反射率や屈折率などの光学定数が変化するものなら本発明に使用できる。また、誘電体膜としては、ZnS-SiO2以外にも光学的にほぼ透明で熱的および機械的に強いものであれば本発明に使用できる。例えば、SiO2やSiNなどである。
【００３３】
また本実施例で用いた中間層は厚さ約２０μｍで波長４０５ｎｍにおいてほぼ透明である。更に多層化する場合には、中間層やカバー層の厚さをこれよりも薄くすればよい。
また本実施例で用いた中間層はナノプリント法により形成した約２０μｍの厚さの薄板シートで波長４０５ｎｍにおいてほぼ透明である。また、場合によってはナノプリント法ではなく、紫外線硬化樹脂などを用いた２Ｐ法により中間層を形成しても良い。ただ、層数を増やす場合には本実施例のような薄板シートを積み重ねる方法がプロセス短縮には有効である。
【００３４】
ここで本実施例における多層光記録再生装置１００に６層の記録層を有する多層光記録媒体９へ記録再生を行う場合の各動作を詳細に説明する。
【００３５】
まず多層光記録媒体９を多層光記録再生装置１００にセットし、２つのビームの位置関係を装置間で同じにする為に初期調整を行う。例えば、高出力半導体レーザ１から出射したビームをサーボ用ビームとし、高出力半導体レーザ１７から出射したビームを記録再生用ビームとし、両者のビームを奥側のサーボ領域付加層３４に照射し焦点合わせおよびトラッキングを個々に行い、同じトラックの同じ位置に二つのビームを合わせる。この動作は、記録再生領域とは別の半径位置に設けた装置互換を取る為の２ビーム位置調整領域を設けてそこで予め実施していても良い。二つのビームが重なった状態での種々の情報を記録装置内の内部メモリに記憶させる。場合によっては、ビームの進行方向に二つのビームが重ならない程度ずらしてもよい。この時、サーボ用ビームを先行させた方が好ましい。ここでサーボ動作の順番としては、対物レンズ１０の制御によりサーボ用ビームで奥側のサーボ領域付加層３４に焦点合わせおよびトラッキングを行った後、記録再生用ビームの焦点位置もリレーレンズにより奥側のサーボ領域付加層３４にトラッキングを行うことになる。なお、少なくともリレーレンズの記録再生用光源側のレンズを記録再生用ビームの進行方向に対して垂直方向に移動させることにより多層光記録媒体中における記録再生用ビームのトラッキング制御を実施している。このようにして同じトラックの同じ位置を二つのビームで照射することができたら、サーボ用ビームはサーボ領域付加層３４にサーボをかけたまま、記録再生用ビームを目的の記録層、例えば奥側のサーボ領域付加層３４の１層手前のサーボ領域未付加層３７へ移動させる。ここでは多層光記録再生装置の特性で決められた数の層まで記録再生が行えることになる。更に、このあとで手前のサーボ領域付加層３５近辺の記録層に記録再生を実施する場合には、高出力半導体レーザ１から出射したビームと高出力半導体レーザ１７から出射したビームとの位置関係は変わらずに（即ち高出力半導体レーザ１７から出射したビームの焦点位置の方が高出力半導体レーザ１から出射したビームの焦点位置に対して手前側にあり、そのビーム間隔は層間距離とほぼ同じ）、そのままの状態で手前側に移動しながらサーボ領域付加層３５の近くまで移動してくると、高出力半導体レーザ１７から出射したビームが今度はサーボ用ビームとなり、高出力半導体レーザ１から出射したビームが記録再生用ビームとなる。最終的には高出力半導体レーザ１７から出射したビームで手前側のサーボ領域付加層３５にサーボをかけることになる。このように２つのビーム間で役割を切り変えることにより短時間での記録再生が可能となる。
【００３６】
更に、サーボ用ビームの方が記録再生用ビームよりも時間的に先行させている場合には、サーボ領域付加層のアドレスや半径位置などの情報を再生しながら、前記サーボ領域付加層の一つ隣側のサーボ領域未付加層にデータを記録することにより、両方の層のデータ記録場所をほぼ同じにすることができて好ましい。
【００３７】
また、サーボ領域未付加層において既に記録されているデータの後ろに新たに連続的にデータを追加記録する場合には、既にあるデータに続いてすぐに記録をしないで、すこし記録をしない領域（空白領域）を設けた方が好ましい。特に、異なる装置で記録を行った場合にはサーボ領域付加層の記録トラックに対して既に記録されているデータが半径方向にずれて記録されている可能性があり、既に記録されているデータの影響受けてトラッキングがずれるのを防ぐ為である。
【００３８】
なお、記録しようとする記録層の一部に既に記録が行われていた場合には、まず焦点を合わせた後、既に記録されているデータ列を元にトラッキングをかける機能も有している。
【００３９】
多層光記録媒体９中の深さ方向に記録再生用ビームの焦点位置が１層分移動したとすると、球面収差の量が変化する。この球面収差は、層のトータル厚さをｄ、ビームの波長をλとすると、ＮＡ４×ｄ／λに比例する。即ち、記録再生用ビーム移動することにより、対物レンズ１０と記録再生用ビームの焦点位置との間にある中間層３６の厚さ分多くなり（実際には記録膜や誘電体膜の厚さも考慮している）、この変化した層のトータル厚さによって球面収差を補正する必要がある。そこで、本発明では、球面収差補正を行う為に液晶素子７を用いている。この液晶素子７は、誘電率と屈折率に異方性を持つため、液晶素子７に印加する電圧によって屈折率が変化する。この物性を利用することにより、球面収差を補正するものである。
【００４０】
さらにサーボ領域付加層上に２つのビームが合焦するようにした状態から改めて記録再生用ビームの焦点位置の移動量に対応する最適な収差補正量を求め、その値を元に記録媒体中の記録再生用ビームの基準位置からの移動した距離に応じて自動で収差補正を行ってもよい。この場合の方が確実に球面収差補正ができる。
【００４１】
また、本実施例のようにリレーレンズ５及び２１中の焦点が合う場所にピンホール６及び２２を設置することにより、目的の記録層における記録マークなどからの反射ビーム以外の反射ビームはこのピンホールで除去することができ、確実な再生信号を得ることが出来る。また、リレーレンズの記録媒体側のレンズのみを移動させるためにリレーレンズ内で平行光が焦点を結ぶ位置の変化も無いので、ピンホールの位置を記録再生用ビームの焦点位置を移動させる度に移動させる必要はない。
【００４２】
本発明の多層光記録再生装置においては、光多層記録媒体にビームが入射した位置から奥側のサーボ領域付加層までのトータル厚さのほぼ中心位置に焦点があった時に球面収差が零になる様に対物レンズを設計している。その為に、本発明で用いる光多層記録媒体は、記録層の総数によらず光多層記録媒体にビームが入射した位置から奥側のサーボ領域付加層までのトータル厚さのほぼ中心位置に焦点が合うように各層（記録層や中間層など）の厚さを決めている。その結果、本発明で用いる多層光記録媒体は、記録層の総数によらず光多層記録媒体にビームが入射した位置から奥側のサーボ領域付加層までのトータル厚さがほぼ同じとなっている。
【００４３】
図２は、本実施例で用いる多層光記録媒体において３層構造から６層構造までを例にとり、各記録層に記録再生を行う場合の各ビームの位置関係を示したものである。ここで、Sはサーボ用ビームを示し、R/Wは記録再生用ビームを示している。また本実施例では最低限必要なサーボ領域付加層を形成している。
【００４４】
例えば６層構造でサーボ領域未付加層３７であるＬ１層に記録再生を行う場合について説明する。まず、サーボ用ビームと記録再生用ビームをサーボ領域付加層３４であるＬ０層に照射し、目的の半径において各ビームとも焦点合わせ及びトラッキング動作を行う。そしてサーボ用ビームはこのままサーボ領域付加層３４であるＬ０層に焦点合わせ及びトラッキング動作を維持し、記録再生用ビームはＬ１層に移動させる。すなわちＬ１層に記録再生を行っている状態では、図２に示すように、再生用ビームはＬ０層に記録再生用ビームはＬ１層にあることになる（各層を記録再生する場合の各ビームの配置例は図２を参照）。
【００４５】
以上のような多層光記録再生装置及び多層光記録再生方法、並びに多層光記録媒体を用いることにより、高速アクセスが可能となり、更に多層形成プロセス時の各記録層の偏心合わせ工程での歩留まりを高くする事ができた。
【図面の簡単な説明】
【００４６】
【図１】本実施例における記録再生装置の構成図
【図２】本実施例における記録再生時のビームの位置例
【符号の説明】
【００４７】
１…高出力半導体レーザ、２，１８…コリメートレンズ、３，１９…偏光ビームスプリッタ、４，２０…λ/４板、５，２１…リレーレンズ、６，２２…ピンホール、７，２３…球面収差補正板（液晶素子）、８…ハーフプリズム、９…多層光記録媒体、１０…対物レンズ、１１…ビームスプリッタ、１２，１４，２５…絞り込みレンズ、１３，１６，２７…検出器、１５，２６…シリンドリカルレンズ、１７…高出力半導体レーザ、２４…反射ミラー、２８，２９…レーザドライバ、３０，３１…ＡＦ＆トラッキング制御回路、３２…マイクロプロセッサ、３３…ポリカーボネイト基板、３４，３５…サーボ領域付加層、３６…中間層、３７…サーボ領域未付加層、３８…カバー層、１００…多層光記録再生装置
【図１】
2008097694.tif 000003
【図２】
2008097694.tif 000004